(57)【要約】【課題】遊技盤を遊技機枠に適切に取り付けることができる弾球遊技機を提供する。【解決手段】遊技盤３を遊技機枠２に設けた嵌合溝部２ｂに嵌合することによって、遊技盤３を遊技機枠２に固定し得るようにした弾球遊技機１において、遊技盤２の裏面にベース部材２１を配置するとともに、ベース部材２１の板厚と遊技盤３の板厚とを合わせた合計板厚を被嵌合部２１７ａとして、該被嵌合部２１７ａを嵌合溝部２ｂに嵌合し、遊技盤２の上側は、その後方が視認不能となるように所定の表示部材２８によって遮蔽される。【選択図】図３
2014138807.tif 000002
【特許請求の範囲】
【請求項１】
透明部材で形成される遊技盤を遊技機枠に設けた所定部位に嵌合することによって、前記遊技盤を前記遊技機枠に固定し得るようにした弾球遊技機において、
前記遊技盤の裏面に不透明部材で形成されるベース部材を配置するとともに、前記ベース部材の板厚と前記遊技盤の板厚とを合わせた合計板厚を被嵌合部として、該被嵌合部を前記所定部位に嵌合し、
前記遊技盤の上側は、その後方が視認不能となるように所定の表示部材によって遮蔽されることを特徴とする弾球遊技機。
【発明の詳細な説明】
【技術分野】
【０００１】
本発明は、遊技盤を遊技機枠に適切に取り付けることができるようにした弾球遊技機に関する。
【背景技術】
【０００２】
弾球遊技機（パチンコ機）においては、遊技店の遊技島に据え付けられる遊技機枠と、円形の遊技領域を有する遊技盤とを備え、遊技盤は、遊技機枠の左側部に設けた嵌合溝部に、その側部を差し込んで嵌合することによって、遊技機枠の内側に嵌め込まれて固定されるようになっている（例えば、特許文献１参照）。
【先行技術文献】
【特許文献】
【０００３】
【特許文献１】特許第３７６３１４９号公報
【発明の概要】
【発明が解決しようとする課題】
【０００４】
上述のような弾球遊技機においては、機種を交換する場合、遊技盤のみを交換して、遊技機枠は異なる遊技盤同士間で共用されるようになっている。しかし、交換後の遊技盤を合成樹脂製として、交換前の遊技盤（一般的なベニヤ板製）に比して板厚の薄いものを使用した場合には、遊技盤の側部が遊技機枠の嵌合溝部に適切に嵌合させることができず、遊技機枠に対する遊技盤の取付けが不安定となる。この結果、遊技機枠自体も交換しなければならず、遊技機枠の共用化ができなくなる問題点を有している。
【０００５】
本発明は、上述のような課題に鑑み、遊技盤の板厚が薄いタイプであっても、遊技機枠に適切に取り付けることを可能にした弾球遊技機を提供することを目的とする。
【課題を解決するための手段】
【０００６】
本発明によると、上記課題は、次のようにして解決される。
遊技盤を遊技機枠に設けた所定部位に嵌合することによって、前記遊技盤を前記遊技機枠に固定し得るようにした弾球遊技機において、前記遊技盤の裏面に不透明部材で形成されるベース部材を配置するとともに、前記ベース部材の板厚と前記遊技盤の板厚とを合わせた合計板厚を被嵌合部として、該被嵌合部を前記所定部位に嵌合し、前記遊技盤の上側は、その後方が視認不能となるように所定の表示部材によって遮蔽される。
【発明の効果】
【０００７】
本発明によれば、次のような効果が奏せられる。
遊技盤の板厚が薄い透明部材で形成されるタイプであっても、遊技盤の裏面に配置するベース部材によって、遊技盤を遊技機枠に適切に取り付けることができる。
【図面の簡単な説明】
【０００８】
【図１】本発明の一実施形態を適用した弾球遊技機の正面図である。
【図２】前扉を開けた状態の弾球遊技機の正面図である。
【図３】弾球遊技機の分解斜視図である。
【図４】前扉及び遊技盤を外した状態の弾球遊技機の正面図である。
【図５】図４におけるＶ−Ｖ線拡大横断面図である。
【図６】遊技盤を取り付けた状態の図５と同じ部位の拡大横断面図である。
【図７】遊技盤の正面図である。
【図８】遊技盤の裏面図である。
【図９】図７におけるIX−IX線縦断面図である。
【図１０】斜め後方から見た要部の分解斜視図である。
【図１１】要部断面の概念図である。
【図１２】要部断面の概念図である。
【発明を実施するための形態】
【０００９】
以下、本発明の一実施形態を、図面に基づいて説明する。図１は、本発明の一実施形態を適用した弾球遊技機の正面図、図２は、前扉を開けた状態の弾球遊技機の正面図、図３は、弾球遊技機の分解斜視図、図４は、前扉及び遊技盤を外した状態の弾球遊技機の正面図、図５は、図４におけるＶーＶ線拡大横断面図、図６は、遊技盤を取り付けた状態の図５と同じ部位の拡大横断面図、図７は、遊技盤の正面図、図８は、遊技盤の裏面図、図９は、図７におけるIX−IX線縦断面図、図１０は、斜め後方から見た要部の分解斜視図、図１１、１２は、要部断面の概念図である。なお、以下の説明においては、図１、２における図面手前を「前方」とし、図面奥側を「後方」とし、左方を「左方」とし、右方を「右方」とする。
【００１０】
図１〜３に示すように、弾球遊技機１は、遊技店の遊技島に据え付けられる遊技機枠をなす外枠２と、外枠２内に後述のように固定される合成樹脂製の遊技盤３と、中央部に円形のガラス板５１が嵌め込まれ、外枠２の左部に上下方向のヒンジ軸を有するヒンジ６により開閉可能に枢着された前扉５とを備え、前面右下部に設けられたハンドル４ａを時計方向へ回転操作することにより、前扉５の下方に設けられた球貯留皿４ｂに貯留されている遊技球が図示略の発射装置から後述の遊技領域９に打出されて、所定の遊技を行うことができる。
【００１１】
前扉５は、閉じるとガラス板５１を透して遊技領域９を視認することができるように遊技盤３の表面側を覆う。なお、ガラス板５１は、遊技領域９の形状、大きさとほぼ同一形状に形成される。
【００１２】
外枠２の左枠部２ａの内側には、後述のように遊技盤３の左側部を固定するための上下の嵌合溝部２ｂが設けられ、また、同じく右枠部２ｃには、後述のように遊技盤３の右側部を固定するための上下のロックレバー６０が回動可能に枢支されている。
【００１３】
主に図５、６に示すように、嵌合溝部２ｂは、外枠２の左枠部２ａに設けられた前後方向へ弾性変形可能な板ばね７０と、板ばね７０の前方に設けられ、右側方へ突出する爪部２ｄとの間に形成される。板ばね７０と爪部２ｄとの間、すなわち嵌合溝部２ｂの前後幅Ｗは、一般的な遊技盤、例えば、板厚が１９ｍｍのベニヤ板により形成される遊技盤３の側部を嵌合溝部２ｂに嵌合した場合、遊技盤３を外枠２に確実に固定し得るような寸法に設定される。
【００１４】
本実施形態における遊技盤３は、板厚が１０ｍｍのアクリル樹脂等の透明の合成樹脂板により正面視ほぼ方形に形成され、その表面には、ガイドレール７、８によって包囲される円形（楕円形を含む）の遊技領域９が形成される。ハンドル４ａの操作に基いて、発射装置から発射される遊技球は、ガイドレール７、８により誘導されて遊技領域９に打出される。遊技盤３の右側部には、遊技盤３を外枠２に固定する際、ロックレバー６０が貫通して係合する上下の係合孔３２が穿設されている。なお、遊技盤３は、完全な透明である必要はなく、後述の演出画像を透視でき得る程度の半透明であっても良いし、また、演出画像を表示させる領域を開口したベニヤ板等によって形成したものであっても良い。
【００１５】
主に図２、７に示すように、遊技盤３の遊技領域９には、遊技領域９に打出された遊技球の流下方向を変化させる多数の遊技釘４０と、遊技球の流下方向を規制する正面視ほぼ眉型の透明な合成樹脂製の球受誘導部材１０と、遊技領域９を流下する遊技球が通過可能な普通図柄作動ゲート１１と、遊技球が入球可能な入球口１２ａと、遊技球の流下方向を変化させる風車１３と、透明な合成樹脂製のステージ１４と、遊技球が入賞または入球可能な図柄始動口１５及び入賞口１２ｂ〜１２ｅと、遊技者にとって不利な第１状態（遊技球が実質的に入賞不能な閉鎖状態）及び遊技者にとって有利な第２状態（遊技球が入賞可能な開放状態）に遷移可能な入賞装置１６が配置されている。また、遊技領域９の最下部には、遊技領域９に打出された遊技球を遊技盤３の裏面側に排出するアウト口１７が設けられている。なお、球受誘導部材１０及びステージ１４は、完全な透明である必要はなく、演出画像を透視でき得る程度の半透明であっても良いし、不透明であっても良い。
【００１６】
ステージ１４は、遊技盤３のほぼ中央部に穿設された横長の開口３１を貫通して、遊技盤３の裏面側に突出するように取り付けられるとともに、上面には、遊技領域９を流下する遊技球のうち入球口１２ａに入球した遊技球を受け止めて、左右、前後に転動させ得るステージ部１４１が形成され、また、前面には、ステージ部１４１を転動した遊技球のうちステージ部１４１の中央部に設けられた遊技球落下部（図示略）に落下した遊技球を図柄始動口１５の真上に排出するための遊技球排出口１４３が形成されている。
【００１７】
主に図８、１０に示すように、遊技盤３の裏面側には、入球口１２ａに入球した遊技球をステージ１４のステージ部１４１上に誘導する透明な誘導路１８と、図柄始動口１５の下方に設けられた電動開閉部材（チューリップ）２７及び入賞装置１６を開閉駆動させるソレノイド、センサ、リンク等により構成される駆動装置１９等の部品が取り付けられている。
【００１８】
入賞装置１６は、後述のように遊技が特定遊技状態となって第２状態に遷移すると、入賞装置１６内に設けた入賞センサ（図示略）が遊技球が１０個入賞したことを検知するか、または開放してから３０秒が経過すると閉鎖される。また開放している最中、入賞装置１６内に設けた特定領域センサ（図示略）が遊技球の入賞を検出した場合には、閉鎖後に再度開放する。これを最大１５回まで繰返し可能に設定してある。
【００１９】
遊技球が普通図柄作動ゲート１１を通過すると、所定の確率に基づいて、準特賞状態を生起するか否かが判定され、その判定の結果をもって、遊技盤３の左上部に設けられた遊技情報表示器２９の普通図柄表示部が変動し、その後に所定の図柄を確定表示させる。準特賞状態が生起されると、電動開閉部材２７が所定時間、開放する。
【００２０】
主に図３に示すように、遊技盤３の裏面側には、液晶ディスプレイ等により構成される演出表示装置２０が、遊技盤３の裏面から所定量離間した位置に配置される。なお、遊技盤３は、後述のように、前方から外枠２に取り付けられ、また、演出表示装置２０は、後方から外枠２に取り付けられる。これにより、遊技盤３を入れ替える場合には、演出表示装置２０を外枠２に取り付けたまま、遊技盤３のみを外枠２に着脱することができる。
【００２１】
演出表示装置２０の横長矩形の表示部２０１（図３参照）には、遊技に関する演出画像及び数字や図柄等で構成される演出図柄が表示され、これらの画像及び図柄は、透明な遊技盤３を透して遊技機１の前面から視認することができる。
【００２２】
演出表示装置２０を、円形の遊技領域９に対して前後に重なるように配置することによって、遊技盤３における遊技領域９と演出表示装置２０の表示部２０１とが前後に重畳する部分には、表示部２０１に表示される画像及び図柄が表示される表示可能領域９３（図８に斜線で示す領域）が形成され、遊技領域９内における表示部２０１の上側及び下側には、画像及び図柄が表示されない上、下の半月状の表示不能領域９１、９２が形成される（図７参照）。
【００２３】
演出表示装置２０に表示される画像のうち遊技に関する数字や図柄等で構成される演出図柄は、表示可能領域９３内で、かつ遊技領域９における球受誘導部材１０とステージ１４との間に２点鎖線で示す演出図柄表示領域９４（図２、７参照）に変動表示される。
【００２４】
遊技領域９に打出された遊技球が図柄始動口１５に入賞すると、これを契機に所定の確率に基づいて、演出図柄が演出図柄表示領域９４内で変動表示した後、所定時間経過後、停止して確定表示される。そして、確定表示された演出図柄の組み合わせが、予め定められた表示態様、例えば、同一の数字や図柄が揃った場合には、特定遊技状態（所謂、大当り状態）を生起させ、入賞装置１６を第１状態から第２状態に遷移させ、遊技者に所定の遊技価値を付与するようになっている。
【００２５】
上側の表示不能領域９１は、遊技盤３の後方、すなわち遊技機１の内部が見えないように、正面視矩形の定形表示部材２８により隠蔽される。また、下側の表示不能領域９２及び遊技領域９から外れた領域は、遊技盤３を透して後方が視認できないように、ベース部材をなす表示枠部材２１により隠蔽される。
【００２６】
表示枠部材２１は、不透明（半透明を含む）の合成樹脂製で形成されるとともに、遊技盤３の裏面側と演出表示装置２０との間に介在され、演出表示装置２０における表示部２０１の周辺近傍、すなわち表示可能領域９３の周囲を囲むような枠状をなし、表示部２０１の周囲と遊技盤３の裏面との間の隙間を遮蔽する上下及び左右の遮蔽部２１１、２１２、２１３，２１４が設けられている。
【００２７】
上遮蔽部２１１を除く各遮蔽部２１２、２１３、２１４の前端には、主に図８、１０に示すように、遊技盤３における表示可能領域９３から外れた下及び左右の領域の後方が視認不能とする下及び左右の枠部２１６及び２１７、２１８が連設されている。
【００２８】
なお、各遮蔽部２１１〜２１４の後端は、演出表示装置２０の前面との間に若干の隙間が生じるようにするか、または、ゴム、スポンジ等の緩衝材を介して、演出表示装置２０の前面に密接される。
【００２９】
遊技盤３の左側部に重合する表示枠部材２１における左枠部２１７には、遊技盤３の左側部と共に外枠２の上下の嵌合溝部２ｂにそれぞれ嵌合される平坦な上下の被嵌合部２１７ａが一体的に設けられている。被嵌合部２１７ａは、前後の板厚が約９ｍｍになるように形成される。これにより、遊技盤３の板厚を１０ｍｍの合成樹脂板とした場合、外枠２の嵌合溝部２ｂに嵌合される部分の前後方向の板厚（遊技盤３と被嵌合部２１７ａの板厚を合わせた板厚）を１９ｍｍとすることができる。また、表示枠部材２１における右側上下の隅部には、遊技盤３の係合孔３２に対してその後側に重畳して、右方が開口する切欠き溝部２１７ｂがそれぞれ形成されている。
【００３０】
下遮蔽部２１２の中央部には、駆動装置１９の左右及び上方を覆うように、上方へ隆起した隆起部２１２ａが形成されている。
【００３１】
各入賞口１２ｂ〜１２ｅ、図柄始動口１５、入賞装置１６及び電動開閉部材２７に入賞した遊技球は、それぞれのセンサにより検知されて、下枠部２１６の裏面側に配置される遊技球通路２６を通って遊技機１の裏面に排出される。
【００３２】
表示枠部材２１における上遮蔽部２１１の前端には、上側の表示不能領域９１の後方が視認不能とするように遮蔽する正面視ほぼ横長矩形の定形表示部材２８が設けられる。
【００３３】
定形表示部材２８には、その後方が視認不能となるようにその表面または裏面に模様、色彩等が施されるとともに、機種名、大当りになる確率、賞球数等の機種に関連する機種情報２８１（図２、３及び図７に２点鎖線で示す部分）が描画されている。
【００３４】
遊技盤３を外枠２に取り付ける場合には、先ず、遊技盤３の裏面に表示枠部材２１を重ね合わせた状態で、遊技盤３の左側部を表示枠部材２１の被嵌合部２１７ａと共に、上下の嵌合溝部２ｂに差し込んで嵌合した後、遊技盤３及び表示枠部材２１を後方へ押し込んで、表示枠座部２１の切欠き溝部２１７ｂを通して、ロックレバー６０を遊技盤３の係合孔３２に挿入する。そして、ロックレバー６０をほぼ９０度回転操作することによって、ロックレバー６０を係合孔３２から離脱不能に係合させる。これにより、遊技盤３の左側部は、表示枠部材２１に一体的に形成した被嵌合部２１７ａと共に、嵌合溝部２ｂに嵌合して、外枠２の左枠部２ａに固定され、また、同じく右側部は、表示枠部材２１の右側部と共に、ロックレバー６０により外枠２の右枠部２ｃに固定される。
【００３５】
以上のように、本発明に係わる弾球遊技機においては、一般的に使用されるベニヤ板の遊技盤３の板厚が、嵌合溝部２ｂの前後幅Ｗに相当する第１板厚（１９ｍｍ）と予め定められている場合、図１１に示すように、遊技盤３が第１板厚よりも薄い第２板厚（１０ｍｍ）の合成樹脂板であるときには、表示枠部材２１に設けた被嵌合部２１７ａを、第１板厚から第２板厚を差し引いた第３板厚（９ｍｍ）として、遊技盤３の側部を被嵌合部２１７ａと共に嵌合溝部２ｂに嵌合することによって、合成樹脂製の遊技盤３を外枠２に対して確実に固定することができる。さらには、図６に明示されるように、遊技盤３の左側部は、表示枠部材２１に一体的に形成した被嵌合部２１７ａと前後に重なり合った状態で嵌合溝部２ｂに嵌合するため、嵌合溝部２ｂに強固に固定される。
【００３６】
また、図１２に示すように、遊技盤３を、第１板厚よりも薄い１５ｍｍの第２板厚としたベニヤ板で形成したときには、被嵌合部２１７ａの第３板厚を４ｍｍとすることによって、ベニヤ板の遊技盤３を外枠２に対して確実に固定することができる。
【００３７】
これにより、一般的に使用される板厚が１９ｍｍのベニヤ板の遊技盤３は勿論のこと、第１板厚よりも薄いベニヤ板や合成樹脂製の遊技盤３であっても、外枠２に確実に固定することができ、板厚が異なる遊技盤３同士間で外枠２の共用化を図ることができる。
【００３８】
また、遊技盤３を、その後方に配置される演出表示装置２０の表示部２０１に表示される演出画像を透視可能な透明合成樹脂板により形成しても、表示部２０１の周辺近傍は、表示枠部材２１の各枠部２１６、２１７、２１８により、遊技盤３の後方が透視できないように隠蔽されるため、見栄えの向上を図ることができる。さらには、被嵌合部２１７ａを、左枠部２１７に一体的に設けたことによって、被嵌合部２１７ａが透明な遊技盤３から視認されないため、見栄えをより向上させることができる。
【００３９】
さらに、表示枠部材２１の裏面に、遊技領域９に打ち込まれて遊技領域９に設けた各入賞孔１２ｂ,１２ｃ,１２ｄ,１２ｅに入賞した遊技球を遊技盤３の裏面側に排出する遊技球通路２６を設けたことによって、遊技盤３の裏面側に配置される遊技球通路２６を、表示枠部材２１を介して、遊技盤３の裏面側に容易に配置することができる。特に、遊技盤３を透明な合成樹脂製とした場合には、遊技球通路２６を表示枠部材２１によって隠蔽することができ、見栄え向上を図ることができる。
【符号の説明】
【００４０】
１  弾球遊技機                      ２  外枠（遊技機枠）
２ａ  左枠部                        ２ｂ  嵌合溝部
２ｃ  右枠部                        ２ｄ  爪部
３  遊技盤                          ４ａ  ハンドル
４ｂ  球貯留皿                      ５  前扉
６  ヒンジ                          ７,８  ガイドレール
９  遊技領域                        １０  球受誘導部材
１１  普通図柄作動ゲート            １２ａ  入球口
１２ｂ,１２ｃ,１２ｄ,１２ｅ  入賞口  １３  風車
１４  ステージ                      １５  図柄始動口
１６  入賞装置                      １７  アウト口
１８  誘導路                        １９  駆動装置
２０  演出表示装置                  ２１  表示枠部材（ベース部材）
２６  遊技球通路                    ２７  電動開閉部材（チューリップ）
２８  定形表示部材                  ２９  遊技情報表示器
３１  開口                          ３２  係合孔
４０  遊技釘                        ５１  ガラス板
６０  ロックレバー                  ７０  板ばね
９１,９２  表示不能領域              ９３  表示可能領域
９４  演出図柄表示領域              １４１  ステージ部
１４３  遊技球排出口                ２０１  表示部
２１１  上遮蔽部                    ２１２  下遮蔽部
２１２ａ  隆起部                    ２１３  左遮蔽部
２１４  右遮蔽部                    ２１６  下枠部
２１７  左枠部                      ２１７ａ  被嵌合部
２１７ｂ  切欠き溝部                ２１８  右枠部
２８１  機種情報
【図１】
2014138807.tif 000003
【図２】
2014138807.tif 000004
【図３】
2014138807.tif 000005
【図４】
2014138807.tif 000006
【図５】
2014138807.tif 000007
【図６】
2014138807.tif 000008
【図７】
2014138807.tif 000009
【図８】
2014138807.tif 000010
【図９】
2014138807.tif 000011
【図１０】
2014138807.tif 000012
【図１１】
2014138807.tif 000013
【図１２】
2014138807.tif 000014